(57)【要約】【課題】光の残存に係わる耐久性が高く且つ経済的に突然の停電時等においても内照する光を残存させることができる内照式サインを提供する。【解決手段】面発光体２の前面側に設けられた蓄光性プレート１により、突然の停電時等においても内照する光が残存されるが、蓄光性プレート１が蓄光材料を配合して成形されていることで、蓄光材料の劣化が防止されて光の残存に係わる耐久性が高められる。また蓄光性プレート１のみに蓄光材料を配合すればよいことから、経済的にも優れるものとできる。【選択図】        図１
2008180989.tif 000002
【特許請求の範囲】
【請求項１】
表示部と、表示部の背後に設けられた面発光体とを備え、面発光体の表示部側に蓄光材料を合成樹脂に配合して成形された蓄光性プレートが設けられ、該蓄光性プレートの大きさが面発光体の発光面と略同一の大きさとなされていることを特徴とする内照式サイン。
【請求項２】
前記表示部は、蓄光性プレートと間隔をおいて設けられたものであることを特徴とする請求項１に記載の内照式サイン。
【発明の詳細な説明】
【技術分野】
【０００１】
本発明は、突然の停電時等においても内照する光を残存させることができる内照式サインに関するものである。
【背景技術】
【０００２】
突然の停電時等においても内照する光を残存させることができるサインとしては、例えば基材と、この基材上に設けられている蓄光性塗料層と、この蓄光性塗料層上に設けられ、昇華形着色材が入り込んで標識が形成されている光透過性の着色基材層とを備えている標識装置が開示されている（例えば特許文献１）。
【０００３】
また、内照式サインに用いられる面状光源として、例えば光源、該光源に光学的に接続され該光源からの光をその一方の面から発光させる導光板及び、該導光板の他方の面に配置された反射フィルムからなる面状光源において、前記導光板は透明材料に蓄光物質を混入した材料から成る面状光源が開示されている（例えば特許文献２）。
【０００４】
【特許文献１】特開平１０−２４７０６５号公報
【特許文献２】特開２０００−２８４２８０号公報
【発明の開示】
【発明が解決しようとする課題】
【０００５】
しかしながら、特許文献１に記載のような従来のサインでは、蓄光性塗料層を用いて光を残存させるものであることから、塗料層中の蓄光材料が早期に劣化することが予想され、とりわけ屋外で用いた場合の耐久性に難があるものであった。また蓄光材料特有の色調が表示内容に係わる所望の色調の発現の妨げとなる恐れもあった。
【０００６】
また特許文献２に記載のような従来の内照式サインに用いる面状光源では、導光板全体に必要となる蓄光材料を配合して成形する必要があり、所望の発光輝度を得るのに対し、余りに多くの量の蓄光材料を必要とし、経済的に難があるものであった。またこちらも発する光が蓄光材料特有の色調となり、所望の色調の発現の妨げとなる恐れがあった。
【０００７】
本発明は上記の如き課題に鑑みてなされたものであり、光の残存に係わる耐久性が高く且つ経済的に突然の停電時等においても内照する光を残存させることができる内照式サインを提供せんとするものである。
【課題を解決するための手段】
【０００８】
上記目的を達成するため、本発明は以下のような構成としている。すなわち、本発明に係わる内照式サインは、表示部と、表示部の背面に設けられた面発光体とを備え、面発光体の表示部側に蓄光材料を合成樹脂に配合して成形された蓄光性プレートが設けられ、該蓄光性プレートの大きさが面発光体の発光面と略同一の大きさとなされていることを特徴とするものである。
【０００９】
本発明に係わる内照式サインによれば、蓄光性プレートにより突然の停電時等においても内照する光が残存されるが、蓄光性プレートが蓄光材料を配合して成形されていることで、蓄光材料の劣化が防止されて光の残存に係わる耐久性が高められる。また蓄光性プレートのみに蓄光材料を配合すればよいことから、経済的にも優れるものとできる。
【００１０】
また前記表示部は、蓄光性プレートと間隔をおいて設けられたものであれば、周囲からの拡散光により面発光体の発光時において蓄光性プレートに含有される蓄光材料の特有の色調が緩和され、発光される色調を自然なものとすることができ好ましい。
【発明の効果】
【００１１】
本発明に係わる内照式サインによれば、蓄光性プレートにより突然の停電時等においても内照する光が残存されるが、蓄光性プレートが蓄光材料を配合して成形されていることで、蓄光材料の劣化が防止されて光の残存に係わる耐久性が高められる。また蓄光性プレートのみに蓄光材料を配合すればよいことから、経済的にも優れるものとできる。
【発明を実施するための最良の形態】
【００１２】
本発明に係わる最良の実施の形態について、図面に基づき以下に具体的に説明する。
【００１３】
図１は、本発明に係わる内照式サインの、実施の一形態を示す縦断面図である。表示部３の背後に面発光体２が配置され、面発光体２の表示部３側に、蓄光性プレート１が配置されている。面発光体２は、導光板２１の側端縁から導光板２１内部に光が入射される導光板方式のものであり、本実施形態においては発光ダイオードである発光体２２から発せられた光が導光板２１内部に入射されるようになされ、導光板２１の背後には白色のスクリーン印刷により光拡散層２３が設けられている。
【００１４】
導光板２１と蓄光性プレート１とは密着されて設けられており、密着されることで面発光体２から発せられた光Ｌ１がロス無く蓄光性プレート１に含有される蓄光材料に吸光されるようになされている。また面発光体２が突然の停電等により発光が停止した場合には蓄光性プレート１が発光して発する光が残存するが、導光板２１が透明で且つ背後に光拡散層２３が設けられていることで、蓄光性プレート１から背後に向けて発せられた光Ｌ２が、導光板２１を透過すると共に光拡散層２３により反射されて反射光Ｌ３となり、残存する光の輝度を高めることができるようになされている。
【００１５】
また蓄光性プレート１と表示部３との間には間隔Ｋが設けられている。かかる間隔により面発光体２から周囲に漏洩した光や、内照式サイン１０内で光が反射して生じる等した散乱光が、蓄光性プレート１を透過して表示部３に向かう光に混在し、蓄光性プレート１に含有される蓄光材料特有の色調が緩和されて、表示部３により表示する所望の色調の発現を妨げる恐れが低減されるようになされている。間隔Ｋは大きすぎると内照式サイン１０の大型化を招いたり、発光輝度の低下に繋がったりする恐れがあることから、１０〜５０ｍｍ程度としておくのが好適である。
【００１６】
図２は、本発明に係わる内照式サインの、形成方法の一例を示す説明図である。内照式サイン１０は、前面が開口部４１となされたサイン枠体４内に、開口部４１から一体となされた蓄光性プレート１及び面発光体２が挿通されることで収容され、サイン枠体４の開口部４１を覆うように表示部３が取り付けられることで形成される。
【００１７】
蓄光性プレート１を形成するのに用いられる合成樹脂材料は、透光性のものであれば特に限定されるものではないが透明性の高いものが好適であり、ポリカーボネート、ポリエチレンテレフタレート、ポリブチレンテレフタレート、ポリフェニレンサルファイド、ポリアミド、ポリメタクリレート、アクリル樹脂等を好適に用いることができる。この内、透明性に加え成形性も高いアクリル樹脂が最も好適である。
【００１８】
また蓄光性プレート１に含有される蓄光材料としては、硫化亜鉛や、それに銅を配合した等の硫化系のものを用いてもよいが、酸化アルミ、酸化ホウ素、酸化ストロンチウム等の酸化物を主体とし、それにユーロピューム等の希土類を配合した酸化系のものが、安全性、化学的な安定性、耐熱性、発光時間の長さ等において利点があり好ましい。とりわけアルミン酸系ストロンチウム系の蓄光性蛍光物質は発光輝度及び発光時間が長く好適に用いることができる。蓄光性蛍光物質は、熱可塑性合成樹脂１００重量部に対し、１０〜２０重量部程度配合することで、成形性に悪影響を及ぼすことなく十分な発光輝度を得ることができる。また蓄光性プレート１は、厚みを１〜８ｍｍ程度としておけば、面発光体２から発せられて透過される光の色調にそれ程悪影響を及ぼすことなく残存する光の輝度を確保することができる。
【図面の簡単な説明】
【００１９】
【図１】本発明に係わる内照式サインの、実施の一形態を示す縦断面図である。
【図２】本発明に係わる内照式サインの、形成方法の一例を示す説明図である。
【符号の説明】
【００２０】
１    蓄光性プレート
２    面発光体
２１  導光板
２２  発光体
３    表示部
１０  内照式サイン
Ｋ    間隔
【図１】
2008180989.tif 000003
【図２】
2008180989.tif 000004